(57)【要約】【課題】導尿容器を剛性体とすることによって扱い易くすることは勿論、尿の排出作業に伴う精神的苦痛を取り除くために作業時間を短縮するようにすること。【解決手段】半割状に形成した一対の半割体１０Ａ及び１０Ｂをその各溶着部にて接合して、内部に尿の収容部を液密的に形成するとともに、導尿容器１００の一方側及び他方側に、尿の導入口２０及び排出口３０をそれぞれ形成したこと。【選択図】図１
2005034167.tif 000002
【特許請求の範囲】
【請求項１】
合成樹脂により剛性体として形成した箱形の導尿容器であって、
半割状に形成した一対の半割体をその各溶着部にて接合して、内部に尿の収容部を液密的に形成するとともに、
前記導尿容器の一方側及び他方側に、尿の導入口及び排出口をそれぞれ形成したことを特徴とする導尿容器。
【請求項２】
前記排出口をコック取付部とすることにより、前記半割体を接合する際に、前記コック取付部に開閉コックを嵌着し、
さらに前記導尿容器の一側面に尿監視可能な監視部を形成するとともに、
持手部またはフック掛け部のいずれか少なくとも一方を上部に形成したことを特徴とする請求項１記載の導尿容器。
【発明の詳細な説明】
【０００１】
【発明の属する技術分野】
本発明は、合成樹脂により剛性体として箱形に形成した容器に関し、特に、患者の尿を収容するためのものとして形成した導尿容器に関するものである。
【０００２】
【従来の技術】
旧来より一般に使用されている尿採取用容器（一般的には尿瓶と呼ばれている）は、尿の採取口と排出口の取付箇所が同一であった。尿採取用容器としては、特許文献１に記載された「尿採取用容器」が知られている。つまり、この尿採取用容器は、図９に示すように、患者の尿道口に直接あてがうため採取口の口径が大きくなっていて、容器設計上、排出口は採取口と同一箇所に設置してある。そのため、患者が尿意をもよおしたとき、必ず尿採取用容器を取り出して採尿しなければならないものとなっていた。
【０００３】
この特許文献１に記載された尿採取用容器の場合、患者の排尿を１日に何回でも採取しなければならない。手術後や寝たきりの患者は終日ベッドで生活しているため、看護師にとって尿を採取する作業は大変煩わしいものである。
【０００４】
これに対して、患者が寝たまま尿を採取できるように、尿採取用チューブ（一般的には導尿カテーテルと呼ばれている。）の一方の端部を患者の膀胱に取り付けて、他端部をベッドの下側に吊り下げられた導尿容器に導通することが行われるようになってきている。これにより、採取された患者の尿は、尿採取用チューブを介して導尿容器へ収容されている。このような導尿カテーテルを使用した従来の導尿容器は、例えば特許文献２に記載された「導尿しやすいドレンバッグ」が知られている。
【０００５】
この特許文献２に記載された導尿容器は、軟質塩化ビニル樹脂等により袋状に形成されていて、図１０に示すように、その下部に収容された尿を排出するための尿排出用チューブが連結されている。この尿排出用チューブをクリップで緊結することによって、尿の排出を停止している。これにより、特許文献１に記載された尿採取用容器における問題は解決されたと考えられる。
【０００６】
ところで、導尿容器の通常の収容量は、患者の約１日分の尿量である。このため、看護師は１日１回以上、収容された尿の排出作業を行わなければならない。看護師が行う作業は、この導尿容器を回収し、収容された尿をトイレで排出した後、当該導尿容器を再使用ための洗浄を行うこと等である。
【０００７】
近年においては、看護師不足とともに看護師への労働負担が多くなってきており、従来の導尿容器に伴う尿の排出作業は、大変負荷のかかるものである。さらに、尿の排出作業は、看護師にとって精神的苦痛を伴うものである。特に、この排出作業により人間の五感のうち視覚と嗅覚が鋭敏に刺激されている。
【０００８】
特に、看護師が特許文献２に記載された導尿容器を用いて作業する際、当該導尿容器が軟質の材質でかつ袋状に形成しているため、接触により変形しやすく扱いにくい。また、この導尿容器は透明又は半透明の薄肉シートで構成されているため、尿の収容状態が一目で確認できる。収容された尿を常に視認できるという利点はあるものの、尿がみえることは患者本人はもちろんのこと第三者にとっても日常生活において気分を害する。
【０００９】
看護師の労働負担を軽減するためには、尿の排出作業時間を短縮しなければならないが、特許文献２の導尿容器の場合、尿を排出するためにクリップを取り外したり、また使用時にクリップにより確実に閉じられているかを確認する作業を要するので、クリップを個別に管理する必要が生じて煩わしいものとなっている。また、導尿容器の収容部内に残った尿を排出するために、当該導尿容器を持って傾けながら振ったり、導尿容器を押し潰したりしなければならないため、看護師の労働負担を増加させているのが実状である。
【００１０】
そこで、本発明者等は、看護師の労働負担を軽減するために、看護師が尿の排出作業を速やかにするにはどうしたらよいか、について種々検討を重ねてきた結果、本発明を完成したのである。
【００１１】
【特許文献１】特開平１０−２８７０７号公報、図９
【特許文献２】特開平９−１７３４４０号公報、図１０
【００１２】
【発明が解決しようとする課題】
本発明は、以上の経緯に基づいてなされたもので、その解決しようとする課題は、導尿容器を剛性体とすることによって扱い易くすることは勿論、尿の排出作業に伴う精神的苦痛を取り除くために作業時間を短縮するようにすることである。
【００１３】
すなわち、請求項１に係る発明の目的とするところは、製造が容易で取り扱い易く、しかも接触による変形に至らない程度の剛性を有する導尿容器を提供することにある。
【００１４】
また、請求項２に係る発明の目的とするところは、上記請求項１に係る発明の目的を達成することのできる他、常に安定載置した状態で、より安全かつ迅速に尿の採取及び排出作業ができるとともに、監視部を使用することにより尿の採取や排出が確実かつ容易に行える導尿容器を提供することにある。
【００１５】
【課題を解決するための手段】
以上の課題を解決するために、後述する実施の形態の説明中において使用する符号を付して説明すると、
「患者の尿を収容するためのものとして、合成樹脂により剛性体として形成した箱形の導尿容器１００であって、
半割状に形成した一対の半割体１０Ａ及び１０Ｂをその各溶着部１１ａ及び１１ｂにて接合して、内部に尿の収容部Ｓを液密的に形成するとともに、
導尿容器１００の一方側及び他方側に、尿の導入口２０及び排出口３０をそれぞれ形成したことを特徴とする導尿容器１００」
である。
【００１６】
すなわち、この請求項１に係る導尿容器１００は、剛性を有する合成樹脂により形成されているため、特許文献２に記載された容器とは異なって、外力により変形することはなく平面上に安定載置できるものとなっている。
【００１７】
ここで、半割状に成形した一対の半割体１０Ａ及び１０Ｂは、互いに内面に対向していて線対称の構造体である。この半割体１０Ａ及び１０Ｂの各々の開口端面である溶着部１１ａ及び１１ｂを振動溶着などの手段で接合することにより、導尿容器１００を形成している。これにより、この導尿容器１００は、その内部に液密的な尿の収容部Ｓを有しているものとなっている。
【００１８】
このように、この導尿容器１００は、一対の半割体１０Ａ及び１０Ｂを接合することにより、複雑な中空体構造を有したものとなっている。
【００１９】
さらに、導尿容器１００の一方側及び他方側に、尿の導入口２０及び排出口３０をそれぞれ形成している。これにより、この導尿容器１００は、尿の導入を導尿口２０から行え、尿の排出を排出口３０から行えるのであり、この導尿容器１００を傾けることなく、尿の採取及び排出を自然な状態で行えるのである。
【００２０】
上記課題を解決するために、請求項２に係る発明の採った手段は、上記請求項１の導尿容器１００について、
「排出口３０をコック取付部３１とすることにより、半割体１０Ａ及び１０Ｂを接合する際に、コック取付部３１に開閉コック３２を嵌着し、
さらに導尿容器１００の一側面に尿監視可能な監視部４０を形成するとともに、
持手部５０またはフック掛け部６０のいずれか少なくとも一方を上部に形成したこと」
である。
【００２１】
すなわち、この請求項２に係る導尿容器１００は、その排出口３０を突設されたコック取付部３１として、このコック取付部３１に前記半割体１０Ａ及び１０Ｂを接合する際に、開閉コック３２を嵌着したものである。このように、この導尿容器１００は、半割構造を採用しているため、開閉コック３２等の他の部材との組み合わせが容易になっている。すなわち、この導尿容器１００は、これに開閉コック３２を嵌着することにより、開閉コック３２を片手で迅速かつ確実に開くことができるのであり、この開閉コック３２から収容された尿を簡単に排出できるものとなっているのである。
【００２２】
さらに、導尿容器１００の一側面に、尿の色、量等の検査または排尿の有無を監視可能にした監視部４０が形成されている。尿の排出作業では、尿の残存量を正確に視認できるため、排出時の利便性が向上している。勿論、この監視部４０によって、尿の採取量が確認できることは、言うまでもない。
【００２３】
また、導尿容器１００の上部に持手部５０またはフック掛け部６０のいずれか少なくとも一方を形成している。持手部５０を設けた場合には、看護師が医療施設内で導尿容器１００を片手で手軽に持ち運ぶことができる。また、フック掛け部６０を設けた場合には、このフック掛け部６０を医療用スタンドのフックに確実に係止することができるのであり、導尿容器１００を安定した状態で吊り下げることができる。
【００２４】
従って、この請求項２の導尿容器１００は、フック掛け部６０を設けた場合には、これにより平面上に載置していない状態でも常に安定した状態で尿を収容し得て、より安全に尿の採取が行えるのであり、持手部５０を設けた場合には、看護師が医療施設内で導尿容器１００を片手で手軽に持ち運ぶことができて、尿の排出作業を安定した状態で行えるのである。
【００２５】
【発明の実施の形態】
次に、本発明を、図面に示した実施の形態である導尿容器１００に基づいて説明する。
【００２６】
図１には、導尿容器１００の後下方からみた斜視図が示してあり、図２には、導尿容器１００の右側面図が示してある。この導尿容器１００は、手術後や寝たきりの患者の尿を収容するために、剛性を有するハイインパクト・ポリスチレン又はポリプロピレンなどの合成樹脂により略四角箱状に形成されたものである。例えば、導尿容器１００は着色ポリプロピレン製から成る剛性体として形成されているため、外力により変形することなく扱い易い上、略四角箱状に形成されることにより安定載置可能でより扱い易くなっている。
【００２７】
図３及び図４には、それぞれ導尿容器１００の左半割体１０Ａ及び右半割体１０Ｂの内側端面図が示してある。各々の半割体１０Ａ及び１０Ｂは、射出成形により線対称の構造体として形成されており、その開口端部が互いに対向し合うように形成してある。
【００２８】
図５には、左半割体１０Ａ及び右半割体１０Ｂを一体化したときの導尿容器１００についての、図２のＸ−Ｘ線部で切った端面図が示してあり、図６には、左半割体１０Ａ及び右半割体１０Ｂを一体化して導尿容器１００を形成しようとしている状態を示す端面図である。
【００２９】
各半割体１０Ａ及び１０Ｂの開口端面である溶着部１１ａ及び１１ｂを、前記各半割体１０Ａ及び１０Ｂがお互い対応するように、接着剤接着あるいは振動溶着などの手段で接合するようにする。このように、線対称となっている一対の半割体１０Ａ及び１０Ｂを接合することにより、略四角箱状の導尿容器１００を容易に製造でき、その内部に尿の収容部Ｓを液密的に形成することができる。
【００３０】
また、各半割体１０Ａ及び１０Ｂにリブを架設してもよい。すなわち、導尿容器１００内に仕切りを架設することにより、収容された尿を分離、抽出することが可能である。このように、この導尿容器１００は、一対の半割体１０Ａ及び１０Ｂを接合することにより、複雑な中空体構造を有するよう形成することができるのである。
【００３１】
さらに、実施形態の導尿容器１００では、その上側及び下側に、尿の導入口２０及び排出口３０をそれぞれ形成している。この導尿容器１００は、尿の導入を尿回収用チューブ２００を通って導入口２０から行え、尿の排出を排出口３０から行えるものであり、この導尿容器１００を傾けることなく、尿の採取及び排出を自然な状態で行えるのである。勿論、これらの導入口２０及び排出口３０は、導尿容器１００の上側左右に設けるように実施してもよいものである。
【００３２】
また、本実施形態において、導入口２０に逆流防止弁を設けてもよい。すなわち、採尿時又は検査移動時において、導尿容器１００に収容された尿が尿回収用チューブ２００を通って逆流し、体内へ戻らないように防止している。また、導尿容器１００が尿回収用チューブ２００に連結していない状態で傾倒したとき、導入口２０から尿が漏れないようにもなっている。
【００３３】
また、導尿容器１００内で尿の収容量が満たされたとき、内圧力により圧迫されないよう、当該導尿容器１００上部に脱臭フィルター８０を設置してもよい。これにより、脱臭フィルター８０を通って内気圧が調整されるのは勿論のこと、収容された尿の臭いが脱臭フィルター８０により外部に漏れないように防止している。
【００３４】
図７には、図３のコック取付部３１を拡大して示した部分拡大断面図が示してある。各半割体１０Ａ及び１０Ｂを接合する際に、このコック取付部３１に開閉コック３２を嵌着している。半割構造体を形成することにより、他の部材との接合が容易になる。本発明においては、導尿容器１００にコック取付部３１を設けて、開閉コック３２を取り付けている。この開閉コック３２は、特許文献２に記載されている導尿容器におけるクリップの緊結機能と同様な開閉機構を有しているものであり、導尿容器１００と一体化させることにより、片手で迅速かつ確実に開くことができるのであり、収容された尿をこの開閉コック３２から簡単に排出できるものとなっている。
【００３５】
また、コック取付部３１と開閉コック３２との間に隙間が生じるため、ゴムパッキンを挾着している。これにより、コック取付部３１と開閉コック３２の密着性を高め、この嵌着箇所から液漏れしないようにしている。
【００３６】
さらに、図２に示すように、収容された尿を外部から視認できるように、導尿容器１００の一側面に上下方向に延びる細長四角形状をなす監視部４０を形成している。この監視部４０は、例えば異種材料による同時成形によって透明又は半透明の配色を施される。これにより、この監視部４０は、尿の色、量等の検査又は排尿の有無を監視可能にしている。
【００３７】
また、監視部４０を除く導尿容器１００全体が不透明な着色をしているため、患者本人はもちろんのこと第三者にとっても収容されている尿が、外側からは分からないようになっている。これにより、使用する患者は勿論、取り扱う看護師にとっても、気分を害することはない。
【００３８】
ところで、図１に示すように、導尿容器１００の半割体１０に脚部７０を有していない場合、別途形成された脚部７０を脚部連結部７０ａに連結して取り付けてもよい。また、脚部７０を有した半割体１０Ａ及び１０Ｂを接合して、半割体１０を形成してもよい。いずれにしても、導尿容器１００は、略箱形状のものとして形成したため、多数を持って運ぶことができるほか、ワゴン車等で複数個の回収が可能である。
【００３９】
導尿容器１００の上部に持手部５０を形成することにより、当該導尿容器１００を片手で持ち運ぶことができる。導尿容器１００は、患者の約１日分の尿の収容量とした。例えば、看護師であっても、尿を一杯収容した導尿容器１００を片手で持つことが可能である。すなわち、看護師が導尿容器１００を持ち運ぶことによって重労働にならないように、又効率の良い作業をできるようにしている。
【００４０】
また、導尿容器１００の上部にフック掛け部６０を形成している。このフック掛け部６０の内周面は、凹凸状のフック掛け部孔部６０ａが連続して形成されている。図８には、導尿容器１００の実施形態を示すもので、医療用スタンド３００のフック３００ｂに掛けた状態を示す斜視図である。このように、導尿容器１００を医療用スタンド３００の２箇所のフック３００ｂにかけているため、確実に係止している。さらに、前記フック掛け部６０の内周面の凹凸状のフック掛け部孔部６０ａの内、どの孔部にフックを掛けてもよい。これにより、導尿容器１００は確実に係止していて、位置及びバランスの調整がし易い。
【００４１】
また、持手部５０の凹凸状の持手部孔部５０ａ又はフック掛け部６０の凹凸状のフック掛け部孔部６０ａに挿通された紐、バンド等を医療用スタンド３００のフック３００ｂに掛けてもよい。このように、導尿容器１００は平面上に載置していない状態でも、常に安定した状態で尿を保存することができて、又尿の採取及び排出作業を行うことができる。
【００４２】
【発明の効果】
以上詳述した通り、まず請求項１に係る発明においては、
「患者の尿を収容するためのものとして、合成樹脂により剛性体として形成した箱形の導尿容器１００であって、
半割状に形成した一対の半割体１０Ａ及び１０Ｂをその各溶着部１１ａ及び１１ｂにて接合して、内部に尿の収容部Ｓを液密的に形成するとともに、
導尿容器１００の一方側及び他方側に、尿の導入口２０及び排出口３０をそれぞれ形成したこと」
にその特徴があり、これにより製造が容易で、しかも接触による変形に至らない程度の剛性を有する導尿容器１００を提供することができるのである。
【００４３】
また、請求項２に係る発明においては、上記請求項１の導尿容器について、
「排出口３０をコック取付部３１とすることにより、半割体１０Ａ及び１０Ｂを接合する際に、コック取付部３１に開閉コック３２を嵌着するとともし、
さらに導尿容器１００の一側面に尿監視可能な監視部４０を形成するとともに、
持手部５０またはフック掛け部６０のいずれか少なくとも一方を上部に形成したこと」
にその構成上の特徴があり、これにより上記請求項１に係る発明の目的を達成することのできる他、常に安定載置した状態で、より安全かつ迅速に尿の採取及び排出作業ができるとともに、監視部４０を使用することにより尿の採取や排出が確実かつ容易に行える導尿容器１００を提供することができるのである。
【図面の簡単な説明】
【図１】本発明に係る導尿容器の後下方からみた斜視図である。
【図２】同導尿容器の右側面図である。
【図３】同導尿容器の左半割体の内側端面図である。
【図４】同導尿容器の右半割体の内側端面図である。
【図５】図２のＸ−Ｘ線部の端面図である。
【図６】図５において、同導尿容器を形成する一対の半割体を示した端面図である。
【図７】図３のコック取付部を拡大して示した部分拡大断面図である。
【図８】同導尿容器の実施形態を示すもので、医療用スタンドのフックに掛けた状態を示す斜視図である。
【図９】従来の尿採取用容器を示す斜視図である。
【図１０】従来の導尿容器を示す正面図である。
【符号の説明】
１００  導尿容器
１０    半割体
１０Ａ  左半割体
１０Ｂ  右半割体
１１ａ  左溶着部
１１ｂ  右溶着部
２０    導入口
３０    排出口
３１    コック取付部
３２    開閉コック
４０    監視部
５０    持手部
６０    フック掛け部
７０    脚部
Ｓ      収容部
【図１】
2005034167.tif 000003
【図２】
2005034167.tif 000004
【図３】
2005034167.tif 000005
【図４】
2005034167.tif 000006
【図５】
2005034167.tif 000007
【図６】
2005034167.tif 000008
【図７】
2005034167.tif 000009
【図８】
2005034167.tif 000010
【図９】
2005034167.tif 000011
【図１０】
2005034167.tif 000012